(57)【要約】【課題】貯湯タンクの貯湯温水と熱交換することによって浴槽水を追い焚きするようにした貯湯式給湯装置において、いつまでも追い焚き運転を継続してユーザーの利便性を損なうことがあった。【解決手段】温水を貯湯する貯湯タンク２と、浴槽６の湯水を循環させるふろ循環回路２２と、ふろ循環回路２２途中に設けられ浴槽水を貯湯タンク２に貯められた温水で加熱する熱交換器１８と、熱交換器１８に流入する浴槽水の温度を検出するふろ戻り温度センサ２３と、浴槽水を熱交換器１８に循環して追い焚き運転を行わせるようにしたものにおいて、追い焚き運転中にふろ戻り温度センサ２３の検出する温度が上昇しない場合、追い焚き運転を中止するようにした。【選択図】図１
2005090778.tif 000002
【特許請求の範囲】
【請求項１】
温水を貯湯する貯湯タンクと、浴槽の湯水を循環させるふろ循環回路と、このふろ循環回路途中に設けられ浴槽水を貯湯タンクに貯められた温水で加熱する熱交換器と、前記熱交換器に流入する浴槽水の温度を検出するふろ戻り温度センサと、浴槽水を前記熱交換器に循環して追い焚き運転を行わせるようにしたものにおいて、追い焚き運転中に前記ふろ戻り温度センサの検出する温度が上昇しない場合、追い焚き運転を中止するようにしたことを特徴とする貯湯式給湯装置。
【請求項２】
温水を貯湯する貯湯タンクと、貯湯タンクの貯湯温度を検出する貯湯温度センサと、浴槽の湯水を循環させるふろ循環回路と、このふろ循環回路途中に設けられ浴槽水を貯湯タンクに貯められた温水で加熱する熱交換器と、前記熱交換器に流入する浴槽水の温度を検出するふろ戻り温度センサと、浴槽水を前記熱交換器に循環して追い焚き運転を行わせるようにしたものにおいて、追い焚き運転中に前記貯湯温度センサで検出する温度と前記ふろ戻り温度センサで検出する温度の差が所定値以下の場合、追い焚き運転を中止するようにしたことを特徴とする貯湯式給湯装置。
【請求項３】
温水を貯湯する貯湯タンクと、浴槽の湯水を循環させるふろ循環回路と、このふろ循環回路途中に設けられ浴槽水を貯湯タンクに貯められた温水で加熱する熱交換器と、この熱交換器へ流入する浴槽水の温度を検出するふろ戻り温度センサと、前記熱交換器から流出する浴槽水の温度を検出するふろ往き温度センサと、浴槽水を前記熱交換器に循環して追い焚き運転を行わせるようにしたものにおいて、追い焚き運転中に前記ふろ戻り温度センサで検出する温度と前記ふろ往き温度センサで検出する温度の差が所定値以下の場合、追い焚き運転を中止するようにしたことを特徴とする貯湯式給湯装置。
【請求項４】
前記貯湯式給湯装置は、前記貯湯タンク内の温水を前記ふろ循環回路を介して浴槽へ注湯する湯張り管とを備え、追い焚き運転を中止した後に湯張り管を介して高温湯を浴槽へ供給する差し湯運転を行って浴槽水を昇温させるようにしたことを特徴とする請求項１〜３記載の貯湯式給湯装置。
【発明の詳細な説明】
【技術分野】
【０００１】
本発明は、貯湯式タンクの貯湯温水を用いて浴槽の湯水を追い焚きする貯湯式給湯装置に関するものである。
【背景技術】
【０００２】
従来よりこの種の電気温水器やヒートポンプ貯湯式給湯装置においては、追い焚き指令があると、貯湯タンクに貯められた温水の温度を検出し、この温度が所定温度以上であれば追い焚き運転を行い、所定温度以下であれば追い焚き運転を行わず、貯湯タンクの温水を浴槽に差し湯するようにしたものであった。
【特許文献１】特開２００３−５００４８号公報
【発明の開示】
【発明が解決しようとする課題】
【０００３】
しかし、この従来のものでは、追い焚き運転を開始した後は、貯湯タンクの貯湯温度が所定温度以上であれば追い焚きを継続するので、浴槽水の温度が高く貯湯タンクの貯湯温度との温度差が少ないときなど熱交換の効率が悪い時にも、貯湯温度が所定温度以上であれば追い焚きが継続され、浴槽水をユーザーの所望する温度にまで昇温させるのに長時間を要し、いつまでも追い焚き運転が継続してしまいユーザーの利便性を損なうと共に、貯湯水が浴槽水と熱交換して温度低下し、追い焚きの熱源として使えない上に給湯にも使いにくい貯湯水が多くなってしまい効率が低下するという問題があった。
【課題を解決するための手段】
【０００４】
そこで、本発明は上記課題を解決するため、請求項１では、温水を貯湯する貯湯タンクと、浴槽の湯水を循環させるふろ循環回路と、このふろ循環回路途中に設けられ浴槽水を貯湯タンクに貯められた温水で加熱する熱交換器と、前記熱交換器に流入する浴槽水の温度を検出するふろ戻り温度センサと、浴槽水を前記熱交換器に循環して追い焚き運転を行わせるようにしたものにおいて、追い焚き運転中に前記ふろ戻り温度センサの検出する温度が上昇しない場合、追い焚き運転を中止するようにしたものである。
【０００５】
また、請求項２では、温水を貯湯する貯湯タンクと、貯湯タンクの貯湯温度を検出する貯湯温度センサと、浴槽の湯水を循環させるふろ循環回路と、このふろ循環回路途中に設けられ浴槽水を貯湯タンクに貯められた温水で加熱する熱交換器と、前記熱交換器に流入する浴槽水の温度を検出するふろ戻り温度センサと、浴槽水を前記熱交換器に循環して追い焚き運転を行わせるようにしたものにおいて、追い焚き運転中に前記貯湯温度センサで検出する温度と前記ふろ戻り温度センサで検出する温度の差が所定値以下の場合、追い焚き運転を中止するようにしたものである。
【０００６】
また、請求項３では、温水を貯湯する貯湯タンクと、浴槽の湯水を循環させるふろ循環回路と、このふろ循環回路途中に設けられ浴槽水を貯湯タンクに貯められた温水で加熱する熱交換器と、この熱交換器へ流入する浴槽水の温度を検出するふろ戻り温度センサと、前記熱交換器から流出する浴槽水の温度を検出するふろ往き温度センサと、浴槽水を前記熱交換器に循環して追い焚き運転を行わせるようにしたものにおいて、追い焚き運転中に前記ふろ戻り温度センサで検出する温度と前記ふろ往き温度センサで検出する温度の差が所定値以下の場合、追い焚き運転を中止するようにしたものである。
【０００７】
また、請求項４では、前記請求項１〜３の貯湯式給湯装置は、前記貯湯タンク内の温水を前記ふろ循環回路を介して浴槽へ注湯する湯張り管とを備え、追い焚き運転を中止した後に湯張り管を介して高温湯を浴槽へ供給する差し湯運転を行って浴槽水を昇温させるようにしたものである。
【発明の効果】
【０００８】
本発明の請求項１によれば、ふろ戻り温度センサで検出する温度を監視することによって、実際に追い焚き運転を開始するとほとんど追い焚きできていない、あるいは追い焚き完了まで非常に時間がかかるような状況を検出することができ、その場合に追い焚き運転を中止することができる。
【０００９】
また、請求項２によれば、貯湯温度センサで検出する温度とふろ戻り温度センサで検出する温度とを監視することによって、実際に追い焚き運転を開始するとほとんど追い焚きできていない、あるいは、追い焚きによる貯湯温度の低下や給湯使用による貯湯熱量の減少により追い焚き完了まで非常に時間がかかるような状況を検出することができ、その場合に追い焚き運転を中止することができる。
【００１０】
また、請求項３によれば、ふろ戻り温度センサで検出する温度とふろ往き温度センサで検出する温度とを監視することによって、実際に追い焚き運転を開始するとほとんど追い焚きできていない、あるいは、追い焚きによる貯湯温度の低下や給湯使用による貯湯熱量の減少により追い焚き完了まで非常に時間がかかるような状況を検出することができ、その場合に追い焚き運転を中止することができる。
【００１１】
また、請求項４によれば、追い焚き運転を中止した後に自動的に差し湯運転を行うようにしたので、追い焚き運転の効率が悪く時間がかかりそうな場合でも、差し湯によって速やかに浴槽水の温度を上げることができる。
【発明を実施するための最良の形態】
【００１２】
次に、本発明の一実施形態を図面に基づいて説明する。
【実施例１】
【００１３】
この貯湯式給湯装置は、時間帯別契約電力の電力単価が安価な深夜時間帯に湯水を沸き上げて貯湯し、この貯湯した湯水を給湯に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた給湯栓、５はこの貯湯式給湯装置を遠隔操作するリモコン、６は浴槽である。
【００１４】
前記貯湯タンクユニット１の貯湯タンク２は、上端に出湯管７と、下端に給水管８とが接続され、さらに、下部にヒーポン循環回路を構成するヒーポン往き管９と、上部にヒーポン循環回路を構成するヒーポン戻り管１０とが接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【００１５】
前記ヒートポンプユニット３は、圧縮機１１と凝縮器としての冷媒−水熱交換器１２と電子膨張弁１３と強制空冷式の蒸発器１４で構成されたヒートポンプ回路１５と、貯湯タンク２内の湯水を前記ヒーポン往き管９およびヒーポン戻り管１０を介して冷媒−水熱交換器１２に循環させるヒーポン循環ポンプ１６と、それらの駆動を制御するヒーポン制御部１７とを備えており、ヒートポンプ回路１５内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１６】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記電子膨張弁１２または圧縮機１１を制御することで、ＣＯＰ（エネルギー消費効率）がとても良い状態で被加熱水を加熱することが可能なものである。
【００１７】
次に、１８は前記浴槽６の湯水を加熱するためのステンレス製の蛇管よりなる熱交換器で、貯湯タンク２内の上部に配置されていると共に、この熱交換器１８にはふろ往き管１９およびふろ循環ポンプ２０を備えたふろ戻り管２１よりなるふろ循環回路２２が接続されて浴槽６の湯水が循環可能にされ、浴槽６内の湯水が貯湯タンク２内の高温水により加熱されて保温あるいは追い焚きが行われるものである。
【００１８】
２３はふろ戻り管２１を介して熱交換器１８に流入する浴槽水の温度を検出するふろ戻り温度センサ、２４は熱交換器１８を流出してふろ往き管１９を介して浴槽６へ流れる浴槽水の温度を検出するふろ往き温度センサである。
【００１９】
次に、２５は出湯管７からの湯と給水管９から分岐された給水バイパス管２６からの低温水を混合する電動ミキシング弁より構成された給湯混合弁であり、その下流の給湯管２７に設けた給湯温度センサ２８で検出した湯温がリモコン５でユーザーが設定した給湯設定温度になるように混合比率が制御されるものである。
【００２０】
２９は給湯管２７から分岐されてふろ戻り管２１に連通された湯張り管で、この湯張り管２９には、浴槽６への湯張りの開始／停止を行う湯張り弁３０と、浴槽６への湯張り量をカウントするふろ流量カウンタ３１と、浴槽水が給湯管２７へ逆流するのを防止する逆止弁３２とが設けられているものである。
【００２１】
次に、３３は貯湯タンク２の上下方向に複数個配置された貯湯温度センサで、この実施形態では５つの貯湯温度センサが配置され上から３３ａ、３３ｂ、３３ｃ、３３ｄ、３３ｅと呼び、この貯湯温度センサ３３が検出する温度情報によって、貯湯タンク２内にどれだけの熱量が残っているかを検知し、そして貯湯タンク２内の上下方向の温度分布を検知するものである。
【００２２】
前記リモコン５には、給湯設定温度を設定する給湯温度設定スイッチ３４、およびふろ設定温度を設定するふろ温度設定スイッチ３５がそれぞれ設けられていると共に、浴槽６へふろ設定温度の湯をリモコン５の湯張り量設定スイッチ（図示せず）で設定された湯張り量だけ湯張りし所定時間保温させるふろ自動スイッチ３６と、浴槽水を追い焚きさせる追い焚きスイッチ３７が設けられているものである。
【００２３】
３８は貯湯タンクユニット１内の各センサの入力を受け各アクチュエータの駆動を制御するマイコンを有し制御部を構成する給湯制御部である。この給湯制御部３８に前記リモコン５が無線または有線により接続されユーザーが任意の給湯設定温度およびふろ設定温度を設定できるようにしているものである。
【００２４】
なお、３９は貯湯タンク２の過圧を逃す過圧逃し弁、４０は給水の圧力を減圧する減圧弁、４１は給湯する湯水の量をカウントする給湯流量カウンタ、４２は給水の温度を検出する給水温度センサである。
【００２５】
次に、この実施例１の作動を説明する。
まず、深夜電力時間帯になって貯湯温度センサ３９が貯湯タンク２内に翌日に必要な熱量が残っていないことを検出すると、給湯制御部３８はヒーポン制御部１７に対して沸き上げ開始指令を発する。指令を受けたヒーポン制御部１７は圧縮機１１を起動した後にヒーポン循環ポンプ１６を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３３が必要な熱量が貯湯されたことを検出すると、給湯制御部３８はヒーポン制御部１７に対して沸き上げ停止指令を発し、ヒーポン制御部１７は圧縮機１１を停止すると共にヒーポン循環ポンプ１６も停止して沸き上げ動作を終了するものである。
【００２６】
次に、給湯運転について説明すると、給湯栓４を開くと、給水管８からの給水が貯湯タンク２内に流れ込む。そして貯湯タンク２に貯められた高温水が出湯管７を介して給湯混合弁２５へ流入し、給水バイパス管２６からの低温水と混合され、給湯制御部３８により給湯混合弁２８の混合比率が調整されて給湯設定温度の湯が給湯栓４から給湯される。そして、給湯栓４の閉止によって給湯が終了するものである。
【００２７】
次に、浴槽６への湯張り運転について説明すると、リモコン５のふろ自動スイッチ３６が操作されると、給湯制御部３８が湯張り弁３０を開弁する。そして、給湯混合弁２８によってふろ設定温度に調整された湯水が湯張り管２９からふろ戻り管２１を介して浴槽６へ湯張りされ、湯張り管２９途中に設けられたふろ流量カウンタ３１が所定の湯張り量をカウントすると給湯制御部３８が湯張り弁３０を閉弁して湯張り運転を終了するものである。
【００２８】
次に、ふろの保温運転あるいは追い焚き運転について説明すると、リモコン５の追い焚きスイッチ３７がＯＮされると、追い焚き運転の開始条件チェックを行い、給湯制御部３８は貯湯タンク２に取り付けられている貯湯温度センサ３３が検出する貯湯温度をチェックし、所定の熱量あるいは所定温度以上であれば、開始条件を満たしているため追い焚き運転を開始する。
【００２９】
この追い焚き運転を図２に示すフローチャートに基づいて説明すると、追い焚き運転を開始すると、ステップ１（以下、Ｓ１と略す）で給湯制御部３８はふろ循環ポンプ２０を駆動開始して浴槽水を循環させ、浴槽６内の湯温を熱交換器１９に流入させ、貯湯タンク２内の上部に貯められた高温水と浴槽水とを熱交換させふろの保温運転あるいは追焚き運転を行う。そのとき、ふろ戻り温度センサ２３で検出する温度をふろ初期温度として記憶する（Ｓ２）。
【００３０】
そして、追い焚き運転を開始してから所定時間が経過すると（Ｓ３）、ふろ戻り温度センサ２３で浴槽水の温度を検出し、浴槽水の温度がＳ２で記憶したふろ初期温度よりも上昇していれば（Ｓ４でＹｅｓ）、浴槽水の温度が目標追い焚き温度に達するまで追い焚き運転を継続する（Ｓ５）。
【００３１】
そして、ふろ戻り温度センサ２３で検出する温度がふろ設定温度に達すると、給湯制御部３８はふろ循環ポンプ２０を駆動停止して（Ｓ６）、追い焚き運転を終了する（Ｓ７）ものである。
【００３２】
ここで、追い焚き運転を開始してから所定時間経過後のふろ戻り温度センサ２３で検出する浴槽６から熱交換器１８に戻ってくる浴槽水の温度がふろ初期温度より所定温度（例えば１℃）以上上昇していない場合は（Ｓ４でＮｏ）、追い焚き運転を中止する。そして、給湯制御部３８が高温の湯を浴槽６に供給する差し湯運転を行わせることで浴槽６内の湯温を上昇させるものである（Ｓ８）。
【００３３】
前記差し湯運転は、給湯制御部３８が湯張り弁３０を開弁し、給湯混合弁２８によって高温の差し湯温度（ここでは６０℃）に調整された湯水を湯張り管２９からふろ戻り管２１を介して浴槽６へ差し湯し、湯張り管２９途中に設けられたふろ流量カウンタ３１が所定の差し湯量をカウントすると給湯制御部３８が湯張り弁３０を閉弁して差し湯運転を終了するものである。
【００３４】
このように、追い焚き運転の開始条件を満たしていても、例えばふろ温度が高くて貯湯温度との温度差が少ないときのように、実際に追い焚き運転を開始するとほとんど追い焚きできていない、あるいは追い焚き完了まで非常に時間がかかるような状況を検出することができ、その場合に追い焚き運転を中止することができる。
【００３５】
そのため、いつまでも追い焚き運転が継続して、貯湯温水がムダに温度低下して追い焚きの熱源として使えない上に給湯にも使いにくい貯湯水が多くなってしまうようなことがないもので、貯湯タンク内の貯湯をムダにすることなく使用することができる。
【００３６】
また、追い焚き運転を中止した後に自動的に差し湯運転を行うようにしたので、追い焚き運転の効率が悪く時間がかかりそうな場合でも、差し湯によって速やかに浴槽水の温度を上げることができる。
【実施例２】
【００３７】
次に、本発明の実施例２について説明する。なお、先の実施例１と同一の構成についてはその説明を省略し、追い焚き運転を図３に示すフローチャートに基づいて説明する。
【００３８】
リモコン５の追い焚きスイッチ３７がＯＮされると、追い焚き運転の開始条件チェックを行い、給湯制御部３８は貯湯タンク２に取り付けられている貯湯温度センサ３３が検出する貯湯温度をチェックし、所定の熱量あるいは所定温度以上であれば、開始条件を満たしているため追い焚き運転を開始する。
【００３９】
追い焚き運転を開始すると、Ｓ１１で給湯制御部３８はふろ循環ポンプ２０を駆動開始して浴槽水を循環させ、浴槽６内の湯温を熱交換器１９に流入させ、貯湯タンク２内の上部に貯められた高温水と浴槽水とを熱交換させふろの保温運転あるいは追焚き運転を行う。
【００４０】
そして、追い焚き運転を開始してから所定時間が経過し追い焚き運転が安定すると（Ｓ１２）、貯湯温度センサ３３で検出する熱交換器近傍の貯湯温度とふろ戻り温度センサ２３で検出する温度の差が所定値以上で、浴槽水の加熱を効率的に行うことが可能であると判断し（Ｓ１３でＹｅｓ）、浴槽水の温度が目標追い焚き温度に達するまで追い焚き運転を継続する（Ｓ１４）。
【００４１】
そして、ふろ戻り温度センサ２３で検出する温度が追い焚き目標温度に達すると、給湯制御部３８はふろ循環ポンプ２０を駆動停止して（Ｓ１５）、追い焚き運転を終了する（Ｓ１６）ものである。
【００４２】
ここで、追い焚き運転中の貯湯温度センサ３３で検出する熱交換器近傍の貯湯温度とふろ戻り温度センサ２３で検出する温度の差が所定値以下となり、浴槽水の加熱を効率的に行うことが難しいと判断すると（Ｓ１３でＮｏ）、追い焚き運転を中止する。そして、給湯制御部３８が高温の湯を浴槽６に供給する差し湯運転を行わせることで浴槽６内の湯温を上昇させるものである（Ｓ１７）。
【００４３】
このように、追い焚き運転の開始条件を満たしていても、例えばふろ温度が高くて貯湯温度との温度差が少ないときのように、実際に追い焚き運転を開始するとほとんど追い焚きできていない、あるいは、追い焚きによる貯湯温度の低下や給湯使用による貯湯熱量の減少により追い焚き完了まで非常に時間がかかるような状況を検出することができ、その場合に追い焚き運転を中止することができる。
【００４４】
そのため、いつまでも追い焚き運転が継続して、貯湯温水がムダに温度低下して追い焚きの熱源として使えない上に給湯にも使いにくい貯湯水が多くなってしまうようなことがないもので、貯湯タンク内の貯湯をムダにすることなく使用することができる。
【００４５】
また、追い焚き運転を中止した後に自動的に差し湯運転を行うようにしたので、追い焚き運転の効率が悪く時間がかかりそうな場合でも、差し湯によって速やかに浴槽水の温度を上げることができる。
【実施例３】
【００４６】
次に、本発明の実施例３について説明する。なお、先の実施例１または２と同一の構成についてはその説明を省略し、追い焚き運転を図４に示すフローチャートに基づいて説明する。
【００４７】
リモコン５の追い焚きスイッチ３７がＯＮされると、追い焚き運転の開始条件チェックを行い、給湯制御部３８は貯湯タンク２に取り付けられている貯湯温度センサ３３が検出する貯湯温度をチェックし、所定の熱量あるいは所定温度以上であれば、開始条件を満たしているため追い焚き運転を開始する。
【００４８】
追い焚き運転を開始すると、Ｓ２１で給湯制御部３８はふろ循環ポンプ２０を駆動開始して浴槽水を循環させ、浴槽６内の湯温を熱交換器１９に流入させ、貯湯タンク２内の上部に貯められた高温水と浴槽水とを熱交換させふろの保温運転あるいは追焚き運転を行う。
【００４９】
そして、追い焚き運転を開始してから所定時間が経過し追い焚き運転が安定すると（Ｓ２２）、ふろ往き温度センサ２４で検出する温度とふろ戻り温度センサ２３で検出する温度の差が所定値以上で、浴槽水の加熱が効率的に行われていると判断し（Ｓ２３でＹｅｓ）、浴槽水の温度が目標追い焚き温度に達するまで追い焚き運転を継続する（Ｓ２４）。
【００５０】
そして、ふろ戻り温度センサ２３で検出する温度が追い焚き目標温度に達すると、給湯制御部３８はふろ循環ポンプ２０を駆動停止して（Ｓ２５）、追い焚き運転を終了する（Ｓ２６）ものである。
【００５１】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ２３でＮｏ）、追い焚き運転を中止する。そして、給湯制御部３８が高温の湯を浴槽６に供給する差し湯運転を行わせることで浴槽６内の湯温を上昇させるものである（Ｓ２７）。
【００５２】
このように、追い焚き運転の開始条件を満たしていても、例えばふろ温度が高くて貯湯温度との温度差が少ないときのように、実際に追い焚き運転を開始するとほとんど追い焚きできていない、あるいは、追い焚きによる貯湯温度の低下や給湯使用による貯湯熱量の減少により追い焚き完了まで非常に時間がかかるような状況を検出することができ、その場合に追い焚き運転を中止することができる。
【００５３】
そのため、いつまでも追い焚き運転が継続して、貯湯温水がムダに温度低下して追い焚きの熱源として使えない上に給湯にも使いにくい貯湯水が多くなってしまうようなことがないもので、貯湯タンク内の貯湯をムダにすることなく使用することができる。
【００５４】
また、追い焚き運転を中止した後に自動的に差し湯運転を行うようにしたので、追い焚き運転の効率が悪く時間がかかりそうな場合でも、差し湯によって速やかに浴槽水の温度を上げることができる。
【００５５】
なお、実施例１〜３において、追い焚き運転を中止したら自動的に差し湯運転を行うようにしたが、これに限らず、例えば浴槽の水位を検出し、浴槽水位に応じて差し湯運転を行うか否かを判断するようにしても良く、また浴槽水位に応じて差し湯量を変更しても良い。また、自動的に差し湯運転を行う際に、差し湯運転を開始する旨をリモコン５によって音声あるいは文字で報知するとなお良い。
【００５６】
また、実施例１〜３において、追い焚き運転を中止した後に、差し湯運転を行わずに、熱量不足あるいは熱交換効率低下により追い焚きを中止した旨をリモコン５によって音声あるいは文字で報知するようにしてもよい。その際、差し湯運転を勧める旨を音声あるいは文字で報知するとなお良い。
【００５７】
また、実施例１〜３において、追い焚き運転の開始条件は、熱交換器１８に近接した貯湯温度センサ３３ｂの検出温度によって判断しているが、貯湯温度センサ３３ａの検出温度を取り入れたり、貯湯タンク２全体の熱量を判断に取り入れたりしても良いものである。
【００５８】
また、実施例１〜３において、熱交換器１８を貯湯タンク２内に配置したが、これに限らず、熱交換器１８を貯湯タンク２外に配置し、貯湯温水を熱交換器１８に循環させる方式としても良いものである。また、貯湯水を加熱する手段としてヒートポンプ式を採用したが、これに限らず、貯湯タンク２内に電熱ヒータを配置したものでも良いものである。
【図面の簡単な説明】
【００５９】
【図１】本発明の実施例１〜３の貯湯式給湯装置の概略構成図。
【図２】実施例１の追い焚き運転を説明するフローチャート。
【図３】実施例２の追い焚き運転を説明するフローチャート。
【図４】実施例３の追い焚き運転を説明するフローチャート。
【符号の説明】
【００６０】
２  貯湯タンク
６  浴槽
１８  熱交換器
２２  ふろ循環回路
２３  ふろ戻り温度センサ
２４  ふろ往き温度センサ
２９  湯張り管
３３  貯湯温度センサ
【図１】
2005090778.tif 000003
【図２】
2005090778.tif 000004
【図３】
2005090778.tif 000005
【図４】
2005090778.tif 000006